(57)【特許請求の範囲】
【請求項１】
開口部を有する筐体部と、前記筐体部の前記開口部を開閉する蓋部材とを備え、
前記蓋部材は、第１蓋部材と、前記第１蓋部材の主面上を摺動する第２蓋部材とを有し、
前記第１蓋部材は、前記第２蓋部材の摺動方向に直交する両側端面に第１係合部を有し、
前記第２蓋部材は、前記第１係合部に係合され、前記第２蓋部材の摺動方向に直交する両側端面に第２係合部を有しており、
前記第１蓋部材の一つの端部は前記筐体部に固定されており、
前記第２蓋部材は前記筐体部に固定された前記第１蓋部材の前記端部とは反対側に向かって摺動し、
前記第２蓋部材が摺動した部分において、前記第２蓋部材が前記筐体部に固定され、
前記蓋部材が前記開口部に押圧された状態で、前記蓋部材が前記開口部を閉じる
電子機器。
【請求項２】
前記蓋部材が前記開口部に押圧された状態で前記第２蓋部材が摺動する面と反対側の前記第１蓋部材の面が当接するに弾性部材をさらに備えた請求項１に記載の電子機器。
【請求項３】
前記第２蓋部材が前記第１蓋部材を摺動する前記主面に第１凸部を設け、
前記第２蓋部材における前記主面と対向する面に第２凸部を設けた請求項１または請求項２に記載の電子機器。
【請求項４】
前記第２蓋部材前記摺動方向における前記第２の蓋部材の端面の当該摺動方向に突出する突起部を備える請求項１乃至請求項３のいずれか一項に記載の電子機器。
【請求項５】
前記第２蓋部材の前記摺動方向に直交する当該第２蓋部材のそれぞれの側面に突出する突起部を備える請求項１乃至請求項４のいずれか一項に記載の電子機器。
【請求項６】
前記筺体部の前記開口部中に前記突起部が係合する係合孔を設けた請求項４乃至請求項５のいずれか一項に記載の電子機器。
【発明の詳細な説明】
【技術分野】
【０００１】
本発明は、ノートパソコンなどの電子機器の電池収納部や記録媒体収納部、あるいは外
部接続端子収納部などに蓋をする蓋部材とそれを用いた電子機器に関し、特に確実に防水
、防塵が可能な蓋部材とそれを用いた電子機器に関する。
【背景技術】
【０００２】
近年、電子機器は携帯性に優れた電子機器が普及し、屋内だけでなく野外での使用機会
も多いことから、持ち運びや落下などの耐振動性・耐衝撃性とともに、周囲環境の温湿度
変化などに対する耐環境性を有することが要求されている。特に、ノートパソコンなどで
もアウトドアや建設現場などの周囲環境が過酷な条件化で使用される例が増加し、耐環境
性を考慮した確実なロック性能が要求されている。
【０００３】
携帯型のノートパソコンなどの電子機器では、電池収納部や記録媒体収納部、あるいは
外部接続端子収納部などが設けられている。普段は蓋部材によって蓋をして閉じた状態で
外部に持ち出され、屋内外に拘わらず情報の処理のための記録媒体の交換や電池の交換、
さらには外部接続端子へ外部機器を接続するために蓋を開けて操作するようにしている。
【０００４】
このような電子機器の各種収納部のロック構造を向上させ、防水を確実に行う例が開示
されている（例えば、特許文献１、２、３、４参照）。
【特許文献１】特開２００１−２１９７９号公報
【特許文献２】特開２００５−３４７４３２号公報
【特許文献３】特開２００３−１４２８４１号公報
【特許文献４】特開２００２−１７６４８１号公報
【発明の開示】
【発明が解決しようとする課題】
【０００５】
しかしながら、上述のいずれの文献も弾性部材よりなるパッキンを蓋部材に設け、電子
機器の筺体と異なる材料よりなるロック爪などによって蓋部材を電子機器本体に固定する
構成であり、このような構成では、温度変化などの周囲環境によって、材料の膨張収縮率
の違いが発生して十分なロック性能を確保できないといった課題が発生する。さらに、ロ
ック爪の配置によってはパッキンに対しての均一な押圧力の印加ができなくなるために、
蓋をするという蓋部材本来の機能が不十分となり、防塵や防水等ができなくなるといった
課題が発生する。
【０００６】
また、パッキンと蓋部材とを一体化させて同時に移動させて電子機器の筺体に蓋部材を
係止する構成などでも、パッキンと蓋部材との膨張収縮率の違いによって、パッキンが劣
化しやすいなどの課題がある。
【０００７】
本発明は、これらの課題に鑑みてなされたもので、周囲環境の温度変化などに対する耐環境性、耐防塵性能に優れた確実なロック機能を有する電子機器を提供することを目的とする。
【課題を解決するための手段】
【０００８】
上記目的を達成するために、本発明の電子機器は、開口部を有する筐体部と、前記筐体部の前記開口部を開閉する蓋部材とを備え、前記蓋部材は、第１蓋部材と、前記第１蓋部材の主面上を摺動する第２蓋部材とを有し、前記第１蓋部材は、前記第２蓋部材の摺動方向に直交する両側端面に第１係合部を有し、前記第２蓋部材は、前記第１係合部に係合され、前記第２蓋部材の摺動方向に直交する両側端面に第２係合部を有しており、前記第１蓋部材の一つの端部は前記筐体部に固定されており、前記第２蓋部材は前記筐体部に固定された前記第１蓋部材の前記端部とは反対側に向かって摺動し、前記第２蓋部材が摺動した部分において、前記第２蓋部材が前記筐体部に固定され、前記蓋部材が前記開口部に押圧された状態で、前記蓋部材が前記開口部を閉じる構成である。
【０００９】
このような構成によれば、第１蓋部材を第２蓋部材が抱え込み、しかも第１蓋部材は不動のまま第２蓋部材の摺動動作によって蓋部材のロックを実現することができるため、第２蓋部材で第１蓋部材全体を均一に押圧することが可能となり、第２蓋部材の摺動方向の端部に設けた突起部を筺体などに係合させることで、蓋部材の確実なロックと簡単なアンロックとを実現することができ、防塵性能に優れる蓋部材を備えた電子機器を提供できる。また、第１蓋部材と第２蓋部材が異なる材料で構成されても、それらは相独立して摺動が可能な構成を有しているため、周囲環境の温湿度変化などによるそれぞれの膨張収縮の影響を受けることがない。
【００１０】
また、本発明の電子機器は、筺体に開口部を有するとともに、前記開口部に蓋をする蓋部材を備えた電子機器であって、前記筺体の前記開口部中に前記突起部が係合する係合孔を設けている。
【００１１】
このような構成によれば、第２蓋部材の突起部を筺体に設けた係合孔に係合させること
により、蓋部材により開口部に確実に蓋をすることができ、密閉性に優れた電池収納部や
記録媒体収納部、あるいは外部接続端子収納部などを有する電子機器を実現することがで
きる。なお、第２蓋部材が第２突起部を含む場合には、当然第２突起部が係合する係合孔
を電子機器筺体に備える。
【発明の効果】
【００１２】
本発明によれば、周囲環境の温湿度変化などによる膨張収縮の影響を受けることなく、なおかつ蓋をする開口部全面を均一に押圧することができ、確実なロック性能と容易なアンロック性とを両立させ、防塵性能が極めて高い蓋部材を備えた電子機器を提供することができる。
【発明を実施するための最良の形態】
【００１３】
以下、本発明の実施の形態について、図面を参照しながら説明する。
【００１４】
（実施の形態１）
図１は本発明の実施の形態１における電子機器を前面側から見た斜視図であり、図２は
同電子機器を背面側から見た斜視図である。本発明の実施の形態１における電子機器は前
面側に表示部としてのディスプレイ部と、操作ボタンとを備えた情報端末で、例えば携帯
型ナビゲーションシステム（以下、ＮＡＶＩと称す）などに適用される。本発明の実施の
形態では、電子機器としてＮＡＶＩを例に挙げ説明する。
【００１５】
ＮＡＶＩ１００は、樹脂などを成型加工した前面筺体部１０１と背面筺体部１０２とに
より構成されている。図１に示すように、前面筺体部１０１には視認情報を表示する表示
部である液晶ディスプレイなどのディスプレイ部１１０と、表示画面のメニュー選択など
をして視認情報を制御する制御ボタンである操作ボタン１２０などが配置され、前面側で
ＮＡＶＩ１００の全ての操作が可能なように構成されている。さらに、ディスプレイ部１
１０の上部には、ＮＡＶＩ１００の携帯性を向上させるために把手１３０を設けている。
【００１６】
また、背面筺体部１０２の内部空間には、例えばＮＡＶＩ１００の電源としての電池を
内蔵することができるような電池収納部と、記録媒体収納部、および／またはＵＳＢなど
の外部機器との接続端子収納部などが設けられている。なお、背面筺体部１０２には、厚
みが薄い薄肉部１０４、薄肉部１０４よりも厚肉の厚肉部１０５、および薄肉部１０４と
厚肉部１０５とを傾斜面で連設する段差部１０６を備える。これらの収納部は、背面筺体
部１０２の薄肉部１０４に設けた蓋部材１４０や、背面筺体部１０２から側面部１０３に
かけて設けた蓋部材１５０によって、防水、防湿あるいは防塵を保つように密閉されてい
る。
【００１７】
一方、これらのＮＡＶＩ１００などの電子機器は、屋内だけでなく野外での使用機会も
多いことから、持ち運びや落下などに際して耐振動性、耐衝撃性とともに、周囲環境の温
湿度変化などに対する耐環境性を有することが要求されている。近年、ＮＡＶＩ１００を
始めとする携帯型電子機器は、アウトドアや建設現場などの周囲環境が過酷な条件下で使
用される例が増加している。そのため、ＮＡＶＩ１００本体である前面筺体部１０１や背
面筺体部１０２、さらには操作ボタン１２０などの全ての構成部材に防水、防湿、防塵構
造などが要求される。
【００１８】
特に、本発明の実施の形態１のＮＡＶＩ１００における筺体に配置された各収納部は、
内部に電極端子などが露出した状態で配置されているため、水滴や埃などの侵入によって
電極端子などの腐食や劣化を発生させる。そのため、蓋部材１４０、１５０は振動や衝撃
に対しても強固に蓋機能を有するとともに、温湿度変化などの耐環境性を備えた確実な防
水、防湿、防塵機能を果たすことが要求される。
【００１９】
本発明の実施の形態１では、背面筺体部１０２の薄肉部１０４に収納部を設けた場合を
例に説明する。図３は本発明の実施の形態１におけるＮＡＶＩ１００の収納部２００、２
０１の構成を示す斜視図であり、図３（ａ）は長方形形状の開口部２１０を平坦とした実
施例を示す斜視図、図３（ｂ）は長円形の開口部２１１に段差を設けた実施例を示す斜視
図である。
【００２０】
図１、図２および図３（ａ）、図３（ｂ）に示すように、ＮＡＶＩ１００の背面筺体部
１０２の薄肉部１０４に、これらの収納部２００、２０１などが設けられている。収納部
２００、２０１には内部に開口部２１０、２１１が設けられて、開口部２１０、２１１内
にＵＳＢなどの接続端子（図示せず）などが露出して配置されている。蓋部材１４０は、
この収納部２００、２１１を密閉するように構成されている。なお、蓋部材１４０と収納
部２００、２０１との密閉構造については後で詳細に述べる。
【００２１】
図４は本発明の実施の形態１における蓋部材１４０の詳細を示す斜視図であり、図４（
ａ）は収納部２００に蓋部材１４０が固定される前の状態を示す図、図４（ｂ）は蓋部材
１４０を収納部２００に固定した場合の蓋部材１４０の状態を示す図である。また、図５
は同蓋部材１４０の図４（ｂ）におけるＣ−Ｃ線断面図である。
【００２２】
図４（ａ）、図４（ｂ）、図５に示すように、蓋部材１４０は、第１蓋部材である蓋本
体３１０と第２蓋部材である蓋ラッチ３２０とにより構成されている。本発明の実施の形
態１では、蓋本体３１０と蓋ラッチ３２０とにより構成される蓋部材１４０が、全体とし
て略矩形形状を有するように構成された場合について示している。
【００２３】
蓋本体３１０は、その側端部３１０ａに形成された第１係合部となる舌部３３０と、第
１本体となる蓋体３４０とにより構成されている。さらに、蓋ラッチ３２０は、蓋本体３
１０の全面を覆うように構成された第２本体となるラッチ部３５０と、ラッチ部３５０の
両側端部３５０ａに設けられて蓋本体３１０の舌部３３０と係合する第２係合部となる鍵
部３６０とを備えている。
【００２４】
すなわち、蓋本体３１０と蓋ラッチ３２０とは、蓋本体３１０の側端部３１０ａに設け
た舌部３３０と、蓋ラッチ３２０の側端部３５０ａに設けた鍵部３６０の溝とが係合し、
蓋本体３１０の主面上を蓋ラッチ３２０が図４（ａ）の矢印Ａ方向に摺動するように所定
の隙間を有して嵌め合わされた構成としている。また、蓋ラッチ３２０のラッチ部３５０
の上面には、蓋ラッチ３２０を手の指などで摺動させるためのロック爪３７０が設けられ
、このロック爪３７０によって蓋ラッチ３２０を蓋本体３１０上で摺動させることが容易
となるように構成されている。
【００２５】
また、蓋ラッチ３２０が矢印Ａ方向に摺動する方向における蓋ラッチ３２０の端面部３
８０には、突起部３８０ａが設けられている。本発明の実施の形態１では、突起部３８０
ａを蓋ラッチ３２０が摺動する摺動面に対して平行に、端面部３８０の両側に一対設けた
構成としている。
【００２６】
また、図４（ｂ）は蓋ラッチ３２０が蓋本体３１０上を矢印Ａの方向に摺動し、蓋部材
１４０が収納部２００に固定された状態の蓋部材１４０を示している。このとき、蓋ラッ
チ３２０の端面部３８０は後述の収納部２００の端面部２５０に当接するため、蓋体３４
０の端面部３４０ａ（図６参照）と蓋ラッチ３２０の端面部３８０とは略同一面となり、
蓋ラッチ３２０に設けた突起部３８０ａが、蓋体３４０の端面部３４０ａより突出する。
【００２７】
一方、図５に示すように、舌部３３０に鍵部３６０の溝部に係合した状態において、蓋
体３４０の厚みＤ１は、蓋ラッチ３２０の下面から鍵部３６０の溝部上面までの厚みＤ２
よりも大きくなるように構成し、さらに、蓋体３４０と蓋ラッチ３２０との摺動面と反対
側の蓋体３４０の面は空間を備え、その空間にはゴムや樹脂などの弾性部材３９０を装着
している。
【００２８】
また、図６は本発明の実施の形態１における蓋部材１４０の図４（ａ）におけるＢ−Ｂ
線断面図である。図５に示すように、蓋本体３１０には突起部３８０ａが設けられた蓋ラ
ッチ３２０が蓋本体３１０に対して摺動可能に配置されている。また、蓋本体３１０であ
って、蓋ラッチ３２０の突起部３８０ａが設けられた面と反対側の端部には、部材を延伸
等の手段により、蓋本体３１０を構成する蓋体３４０の肉厚を薄くしたヒンジ部４００を
設けることで、蓋体３４０の折り曲げが容易なように構成している。さらに、ヒンジ部４
００の先端部には、蓋部材１４０をＮＡＶＩ１００の背面筺体部１０２における薄肉部１
０４などに取り付け固定する固定部４１０が設けられている。また、蓋体３４０と蓋ラッ
チ３２０とを摺動させる蓋体３４０における摺動面と反対側の空間の内部には、ゴムや樹
脂などの所定厚みの弾性部材３９０が蓋体３４０に接着などによって取り付けられている
。なお、このとき、弾性部材３９０の下端面が蓋体３４０の周囲面よりも突出するように
構成すると、後述するように、例えば蓋本体固定面２４０に対して確実に圧着でき、防水
性能上望ましい。
【００２９】
また、図６に示すように、蓋本体３１０と蓋ラッチ３２０とが摺動する面には、第１凸
部となる凸部４３０が設けられ、凸部４３０の両側における蓋本体３１０と蓋ラッチ３２
０とが摺動する面に凹部４２０を設けている。一方、蓋ラッチ３２０の蓋本体３１０が摺
動する面には、凹部４２０と係合する第２凸部となる凸部４４０が設けられている。この
ような構成によれば、蓋ラッチ３２０を蓋本体３１０上で摺動させる際に、蓋ラッチ３２
０を摺動させる際の位置決めと、位置決めの際のクリック感を得ることができ、蓋部材１
４０が確実にロックされたことを確認することができる。
【００３０】
以下、本発明の実施の形態１における蓋部材１４０を用いて図３（ａ）に示す収納部２
００に蓋をする場合について説明する。図７は、本発明の実施の形態１で述べた蓋部材１
４０により収納部２００に蓋をする状態を示す断面図であり、図７（ａ）は蓋部材１４０
を開放した状態、図７（ｂ）は蓋部材１４０で収納部２００に蓋をした状態を示す。
【００３１】
まず、図３（ａ）の収納部２００の構成についてさらに詳しく説明する。図３（ａ）に
示すように、収納部２００には内部に開口部２１０が設けられて、開口部２１０内にＵＳ
Ｂなどの接続端子や、収納部２００に収納した電池などが露出して配置されている。また
、収納部２００には、蓋本体３１０の固定部４１０を固定するためのネジ穴部２２０を有
する固定段差部２３０と、蓋本体３１０が嵌り合う蓋本体固定面２４０が設けられている
。さらに、収納部２００の固定段差部２３０と反対側には、蓋体３４０の端面部３４０ａ
と蓋ラッチ３２０の端面部３８０とが面で当接するように端面部２５０が設けられている
。また、端面部２５０には、蓋部材１４０の蓋ラッチ３２０に設けた突起部３８０ａが嵌
り合って係合する係合孔２５０ａを、それぞれの突起部３８０ａの位置に対応して設けて
いる。
【００３２】
すなわち、本発明の実施の形態１では、蓋部材１４０が、全体として略矩形形状を有す
るように構成された場合について述べており、収納部２００は全体として矩形形状の凹部
を形成して、その凹部に蓋部材１４０が嵌り合う構成としている。したがって、図４（ｂ
）に示す蓋部材１４０の長さＬ１と図３（ａ）に示す凹部の長さＬ２とを略等しくすると
ともに、図４（ｂ）に示す蓋部材１４０の幅Ｌ３と図３（ａ）に示す凹部の幅Ｌ４とを略
等しくなるように構成している。
【００３３】
図７（ａ）に示すように、蓋部材１４０の蓋本体３１０の固定部４１０が、収納部２０
０の固定段差部２３０に取り付け部材６１０を介してネジ６２０などによって固定されて
いる。また、この状態では、蓋本体３１０のヒンジ部４００が折り曲げられて、蓋部材１
４０と収納部２００との密閉が開放され、収納部２００の開口部２１０内の接続端子（図
示せず）などにＵＳＢなどの外部端子を接続可能な状態としている。
【００３４】
このとき、蓋部材１４０の蓋ラッチ３２０は蓋本体３１０に対して矢印Ｄの方向に摺動
させられた状態となっている。
【００３５】
一方、図７（ｂ）は蓋部材１４０によって収納部２００が閉じられた状態を示している
。すなわち、蓋部材１４０が収納部２００の開口部２１０側に押圧されて、蓋部材１４０
が収納部２００に嵌り合い、蓋本体３１０の弾性部材３９０が蓋本体固定面２４０に当接
した状態となる。
【００３６】
この状態で、蓋ラッチ３２０のロック爪３７０によって蓋ラッチ３２０を矢印Ｅの方向
に移動させる。このとき、蓋ラッチ３２０の鍵部３６０が蓋本体３１０の舌部３３０に案
内されて摺動するとともに、蓋本体３１０上を摺動して蓋ラッチ３２０を矢印Ｅ方向に容
易に摺動させることができる。
【００３７】
この結果、蓋ラッチ３２０に設けた突起部３８０ａが、収納部２００の端面部２５０に
設けた係合孔２５０ａに嵌り込み、蓋部材１４０の蓋ラッチ３２０を収納部２００に固定
することとなる。このとき、蓋部材１４０の全体を押さえ込みながら、なおかつ、弾性部
材３９０を変形させながら蓋ラッチ３２０を摺動させることができる。そのため、係合孔
２５０ａの垂直方向の位置を突起部３８０ａの位置より少し低くした状態でも両者を係合
させることができる。その結果、突起部３８０ａが係合孔２５０ａに係合した後には、弾
性部材３９０の弾性力を利用して蓋本体固定面２４０と弾性部材３９０との密閉力を高め
、蓋部材１４０と収納部２００との結合を強固にすることができる。
【００３８】
そのため、振動や落下などの衝撃がＮＡＶＩ１００に加わった場合でも、収納部２００
と蓋部材１４０との係合が外れることがなく、確実な密閉機能を確保することができる。
【００３９】
このように、本発明の実施の形態１における蓋部材１４０によれば、蓋部材１４０のう
ちの蓋本体３１０に設けた舌部３３０を、蓋ラッチ３２０に設けた鍵部３６０の溝部が抱
え込み、蓋ラッチ３２０で蓋本体３１０を均一に押圧することが可能となる。そのために
、蓋本体３１０の弾性部材３９０によって、開口部２１０の全領域を均一に密閉すること
が可能となり、極めて防水、防湿、防塵性能に優れた蓋部材１４０を有するＮＡＶＩ１０
０を実現することができる。
【００４０】
さらに、このような抱え込み構造を、蓋本体３１０と蓋ラッチ３２０のそれぞれの両端
部に設けた舌部３３０と鍵部３６０とにより係合する構成としており、極めて少ない部品
点数で実現することができる。
【００４１】
また、蓋ラッチ３２０に設けた突起部３８０ａとＮＡＶＩ１００の背面筺体部１０２に
設けた係合孔２５０ａとを係合させているため、振動や落下などの衝撃に強く、蓋部材１
４０の係合が簡単に外れることのない、確実なロック機能を確保することができる。
【００４２】
さらに、蓋本体３１０と蓋ラッチ３２０は摺動が可能なように所定の隙間を有して構成
されている。そのため、蓋本体３１０の蓋体３４０と蓋ラッチ３２０との構成材料が異な
る場合でも、周囲環境の温湿度変化などによるそれぞれの膨張収縮の影響を受けることが
ない。その結果、収納部２００と蓋部材１４０との密閉開閉動作を確実に行うことができ
る。
【００４３】
さらに、本発明の実施の形態１におけるＮＡＶＩ１００では、蓋体３４０の厚みＤ１を
舌部３３０に鍵部３６０が係止した状態の厚みＤ２よりも大きくなるように構成し、さら
に、蓋体３４０の蓋ラッチ３２０が摺動する面と反対側の面には、ゴムや樹脂などの弾性
部材３９０を装着している。そのため、弾性部材３９０をＮＡＶＩ１００に設けた開口部
２１０を形成した蓋本体固定面２４０に確実に当接させて、確実な密閉機能を発現するこ
とができる。
【００４４】
次に、図３（ｂ）の収納部２０１の構成について説明する。図３（ｂ）に示す収納部２
０１の構成は、以下の構成が図３（ａ）に示す収納部２００の構成と異なる。すなわち、
開口部２１１を長円形の形状とし、その周囲に、蓋本体固定面２４１よりも突出させて弾
性部材３９０と密着させるための弾性部材固定段差部２６０を形成している。さらに、蓋
本体固定面２４１の両側には、蓋ラッチ３２０の鍵部３６０の底面部が摺動するラッチ摺
動段差部２７０を設けている。なお、蓋ラッチ３２０の端面部３８０に設けた突起部３８
０ａが嵌り合って係合する係合孔２５０ａなどの構成は図３（ａ）に示す構成と同様であ
る。
【００４５】
このような構成によれば、蓋ラッチ３２０が蓋本体３１０上を摺動する際に、蓋ラッチ
３２０の鍵部３６０の底面部をラッチ摺動段差部２７０に沿わせて確実に摺動させること
ができるとともに、開口部２１１周囲に設けた弾性部材固定段差部２６０によって弾性部
材３９０との密着をより強固にすることができる。
【００４６】
なお、本発明の実施の形態１では開口部２１１を長円形状とし、その周囲に弾性部材固
定段差部２６０を形成しているが、開口部２１１の形状が必ずしも長円形状である必要は
なく、矩形、円形などとして弾性部材固定段差部２６０を形成しても良い。
【００４７】
また、弾性部材固定段差部２６０を備えることで、蓋体３４０と蓋ラッチ３２０との摺
動面と反対側の蓋体３４０に備える空間に有する弾性部材３９０による密着性をより向上
させることができる。この弾性部材固定段差部２６０は、蓋本体固定面２４１と同じ樹脂
材料や、封止性があるゴム等のエラストマー性の材料を適用することができる。
【００４８】
また、図３（ｂ）では蓋本体固定面２４１における端面部２５０と対向する端面部２４
２よりもラッチ摺動段差部２７０に端面部２７０ａを突出させた構成であるが、端面部２
７０ａは蓋本体固定面２４１と端面部２５０との間に形成しても適用できる。しかしなが
ら、蓋本体固定面２４１の端面部２４２と端面部２７０ａとの間に空隙が生じ易くなるた
め、防水性能の観点からは端面部２５０に蓋本体固定面２４１を介して対向する端面部２
４３と蓋本体固定面２４１の端面部２４２との間に備えることが好ましい。
【００４９】
なお、上述の蓋部材１４０を構成する蓋本体３１０や蓋ラッチ３２０は、樹脂の成型に
よって容易に形成することが可能である。このとき、蓋本体３１０には弾性を有する樹脂
材料を用い、蓋本体３１０を抱え込む蓋ラッチ３２０には剛性を有する材料を用いると蓋
部材１４０としてはより望ましい構成とすることができる。
【００５０】
（実施の形態２）
図８は、本発明の実施の形態２における蓋部材７００の詳細を示す斜視図であり、図９
は、本発明の実施の形態２におけるＮＡＶＩ１００の収納部２０２の構成を示す斜視図で
ある。図８に示すように、本発明の実施の形態２における蓋部材７００の基本構成は、図
４（ａ）、図４（ｂ）における実施の形態１と同様であるが、実施の形態２では、収納部
２０２が図１および図２における蓋部材１５０の位置に備える点と、蓋ラッチ７２０の構
成の点とが異なる。
【００５１】
すなわち、図８に示すように、本発明の実施の形態２における蓋部材７００では、蓋ラ
ッチ７２０の蓋ラッチ７２０が摺動する方向の端面部７８０に設けた２個の突起部７８０
ａに加え、蓋ラッチ７２０が蓋本体７１０と摺動する摺動方向に対して直交する両側の端
面部７７０に、第２突起部７７０ａを設けている。さらに、蓋ラッチ７２０において、突
起部７８０ａと第２突起部７７０ａとは、蓋ラッチ７２０の面の対角線に近くなる位置に
設けている。
【００５２】
また、このような蓋部材７００が嵌り込む収納部２０２は、その基本構成は実施の形態
１における図３（ｂ）に示す構成と同様であるが、ラッチ摺動段差部２７０の両側で第２
突起部７７０ａと対応する位置に係合溝２８０が付加されて形成されている。
【００５３】
このような蓋部材７００と収納部２０２との構成によれば、蓋部材７００によって収納
部２０２を密閉する際に、蓋ラッチ７２０の突起部７８０ａと収納部２０２の係合孔２５
０ａと係合し、さらに、蓋ラッチ７２０の第２突起部７７０ａと収納部２０２の係合溝２
８０とを係合させて、蓋ラッチ７２０の４隅と収納部２０２の４隅とを互いに強固に固定
することができる。その結果、蓋ラッチ７２０で蓋本体７１０を抱え込みながら蓋本体７
１０によって収納部２０２の開口部２１１の全領域を均一に密閉することが可能となる。
【００５４】
また、このようにＮＡＶＩ１００と蓋部材７００との固定箇所が増えることにより、Ｎ
ＡＶＩ１００に加わる衝撃などに対してより強固な固定を実現することができる。その結
果、衝撃が印加される環境条件下でも、蓋部材７００としての防水、防湿、防塵機能など
をさらに確実に発現することが可能となる。
【００５５】
なお、突起部７８０ａや第２突起部７７０ａの形状は任意に設定可能であるが、蓋部材
７００の開閉の自由度などを考慮すれば、収納部２０２に設けた係合孔２５０ａや係合溝
２８０との接触面積ができるだけ大きくなるようにすることが望ましい。
【００５６】
また、突起部７８０ａや第２突起部７７０ａの形状としては、係合孔２５０ａや係合溝
２８０に嵌り込む方向に先端部を有するテーパ形状としてもよく、さらに、係合孔２５０
ａや係合溝２８０もテーパ形状としてもよい。
【００５７】
（実施の形態３）
図１０、図１１、図１２は本発明の実施の形態３における蓋部材８００とそれを用いた
ＮＡＶＩ１００の収納部９００の構成を示す斜視図である。図１０は本発明の実施の形態
３における蓋部材８００の構成を示す斜視図、図１１は本発明の実施の形態３におけるＮ
ＡＶＩ１００の収納部９００の構成を示す斜視図、図１２は本発明の実施の形態３におけ
る蓋部材８００によって収納部９００に蓋をした状態を示す斜視図である。
【００５８】
本発明の実施の形態３における蓋部材１５０と収納部９００とは、特に図１、図２に示
すように、ＮＡＶＩ１００の背面筺体部１０２の厚肉部１０５から側面部１０３にかけて
設ける構成や、薄肉部１０４から側面部１０３にかけて設ける構成の場合に好適であるが
、本発明の実施の形態３としては、厚肉部１０５から側面部１０３にかけて設けた蓋部材
１５０を例に挙げ説明する。なお、収納部としてはＵＳＢ端子などの接続端子収納部やＮ
ＡＶＩ１００の電源に適用される電池収納部などに好適である。
【００５９】
本発明の実施の形態３における蓋部材１５０の基本構成は実施の形態１および実施の形
態２と同様であるが次の点が異なる。すなわち、蓋部材１５０の蓋本体８１０を、ＮＡＶ
Ｉ１００の筺体へ固定する固定部の構成が異なる。図１０に示すように、蓋ラッチ８２０
の蓋ラッチ８２０の突起部８３０ａが設けられた端面部８３０と反対側には、蓋ラッチ８
２０から延伸し、ＮＡＶＩ１００の、例えば側面部１０３の形状に沿った形状に折り曲げ
られたカバー部８４０が設けられている。また、蓋本体８１０の固定部８５０も、蓋本体
８１０から延伸して設けられ、蓋ラッチ８２０の内側になるように折り曲げられて形成さ
れている。
【００６０】
一方、図１１には、このような蓋部材８００で蓋をする収納部９００の構成を示す。基
本構成は実施の形態１で述べた図３（ｂ）と同様であり、蓋部材１５０を固定する固定段
差部９１０が、開口部９２０が形成された蓋本体固定面９３０に対して略直角に形成され
ている点が異なる。なお、端面部９４０に形成された係合孔９４０ａは、蓋部材１５０を
収納部９００に固定して蓋をしたときに、突起部８３０ａが係合される位置に設けられて
いる。
【００６１】
図１２は、以上のように構成した蓋部材１５０を収納部９００に固定して蓋をし、蓋ラ
ッチ８２０の突起部８３０ａを蓋本体８１０の係合孔９４０ａに嵌め合わせて係合した状
態を示している。このとき、固定段差部９１０に固定された蓋本体８１０の固定部８５０
を覆い隠す第２カバー部９５０をさらに設けている。
【００６２】
本発明の実施の形態３における蓋部材１５０によれば、蓋本体８１０と蓋ラッチ８２０
を、図１、図２の背面筺体部１０２のコーナー部に沿わせる形状として、蓋部材１５０と
ＮＡＶＩ１００の筺体との一体感を得ることが容易となり、蓋機能としての密閉機能を確
保するとともに、見栄えの優れたＮＡＶＩ１００を提供することができるものである。
【００６３】
なお、このような本発明の実施の形態における蓋部材は、樹脂材料の成型のみによって
容易に実現することができる。そのため、樹脂材料の有する弾性力を利用することによっ
ても開口部と蓋本体との密閉性を確保するとともに、突起部と筺体に設けた係合孔とを弾
性的に固定し、耐衝撃性や温度変化などの耐環境性に優れた蓋部材を実現できるものであ
る。
【００６４】
なお、本発明の実施の形態では、電子機器としてＮＡＶＩを対象として説明したが、Ｎ
ＡＶＩ以外でもＰＤＡ、ゲーム機、携帯電話、看護機器、ノートパソコン、カメラなどの
電子機器にも適用できる。
【産業上の利用可能性】
【００６５】
本発明によれば、周囲環境の温湿度変化などによるそれぞれの膨張収縮の影響を受ける
ことなく、なおかつ開口部全面を均一に押圧して蓋をする蓋部材を用いた電子機器である
ため、特に携帯型の情報機器などに有用である。
【図面の簡単な説明】
【００６６】
【図１】本発明の実施の形態１における電子機器であるＮＡＶＩを前面側から見た斜    視図
【図２】同ＮＡＶＩを背面側から見た斜視図
【図３】同ＮＡＶＩの収納部の構成を示す斜視図
【図４】本発明の実施の形態１における蓋部材の詳細を示す斜視図
【図５】同蓋部材の図４（ｂ）におけるＣ−Ｃ線断面図
【図６】同蓋部材の図４（ａ）におけるＢ−Ｂ線断面図
【図７】本発明の実施の形態１における蓋部材により収納部に蓋をする状態を示す断面図
【図８】本発明の実施の形態２における蓋部材の詳細を示す斜視図
【図９】本発明の実施の形態２におけるＮＡＶＩの収納部の構成を示す斜視図
【図１０】本発明の実施の形態３における蓋部材の構成を示す斜視図
【図１１】本発明の実施の形態３におけるＮＡＶＩの収納部の構成を示す斜視図
【図１２】本発明の実施の形態３における蓋部材で収納部に蓋をした状態を示す斜視図
【符号の説明】
【００６７】
１００    ＮＡＶＩ
１０１    前面筺体部
１０２    背面筺体部
１０３    側面部
１０４    薄肉部
１０５    厚肉部
１０６    段差部
１１０    ディスプレイ部
１２０    操作ボタン
１３０    把手
１４０，１５０，７００，８００    蓋部材
２００，２０１，２０２，９００    収納部
２１０，２１１，９２０    開口部
２２０    ネジ穴部
２３０，９１０    固定段差部
２４０，２４１，９３０    蓋本体固定面
２４２，２４３，２５０，２７０ａ，３４０ａ，３８０，７７０，７８０，８３０，９
４０    端面部
２５０ａ，９４０ａ    係合孔
２６０    弾性部材固定段差部
２７０    ラッチ摺動段差部
２８０    係合溝
３１０，７１０，８１０    蓋本体
３１０ａ，３５０ａ    側端部
３２０，７２０，８２０    蓋ラッチ
３３０    舌部
３４０    蓋体
３５０    ラッチ部
３６０    鍵部
３７０    ロック爪
３８０ａ，７８０ａ，８３０ａ    突起部
３９０    弾性部材
４００    ヒンジ部
４１０，８５０    固定部
４２０    凹部
４３０，４４０    凸部
６１０    取り付け部材
６２０    ネジ
７７０ａ    第２突起部
８４０    カバー部
９５０    第２カバー部
【図１】
0005444741.tif 000002
【図２】
0005444741.tif 000003
【図３】
0005444741.tif 000004
【図４】
0005444741.tif 000005
【図５】
0005444741.tif 000006
【図６】
0005444741.tif 000007
【図７】
0005444741.tif 000008
【図８】
0005444741.tif 000009
【図９】
0005444741.tif 000010
【図１０】
0005444741.tif 000011
【図１１】
0005444741.tif 000012
【図１２】
0005444741.tif 000013